(57)【特許請求の範囲】
【請求項１】
映像コンテンツと当該映像コンテンツの実況動画を再生する再生装置と実況動画を配信する動画配信サーバを備える動画配信システムであって、
前記再生装置は、
映像コンテンツを再生するときに、当該映像コンテンツを特定するためのコンテンツ情報を含み、当該映像コンテンツの実況動画の配信を要求する配信要求を送信する配信要求部と、
前記実況動画の配信を受けて、前記映像コンテンツと前記実況動画とを同じ画面内に表示した表示画面を出力する表示制御部を備え、
前記動画配信サーバは、
前記配信要求を受信すると、当該配信要求に含まれるコンテンツ情報で特定される前記映像コンテンツの実況動画の配信を開始する
動画配信システム。
【請求項２】
映像コンテンツと当該映像コンテンツの実況動画を再生する再生装置であって、
映像コンテンツと実況動画とを結びつけるコンテンツ情報に基づき、前記映像コンテンツと当該映像コンテンツの実況動画とを同じ画面内に表示した表示画面を出力する表示制御部を備える
再生装置。
【請求項３】
請求項２に記載の再生装置であって、
映像コンテンツを再生するときに、当該映像コンテンツを特定するためのコンテンツ情報を含み、当該映像コンテンツの実況動画の配信を要求する配信要求を送信する配信要求部を備える
再生装置。
【請求項４】
請求項２に記載の再生装置であって、
映像コンテンツの実況動画の配信を要求する配信要求を送信する配信要求部を備え、
前記表示制御部は、前記映像コンテンツの実況動画を再生するときに、前記映像コンテンツの再生が可能な場合は、前記映像コンテンツと前記実況動画とを同じ画面内に表示した表示画面を出力する
再生装置。
【請求項５】
請求項４に記載の再生装置であって、
前記映像コンテンツはテレビ放送番組の録画であり、
前記表示制御部は、前記実況動画において実況されたテレビ放送番組が録画されている場合は、当該テレビ放送番組の録画と前記実況動画とを同じ画面内に表示した表示画面を出力する
再生装置。
【請求項６】
請求項２ないし４のいずれかに記載の再生装置であって、
前記映像コンテンツは、ネットワークを介して配信される映像コンテンツである
再生装置。
【請求項７】
請求項２ないし６のいずれかに記載の再生装置であって、
前記表示制御部は、前記実況動画に対して投稿されたコメントを受信し、受信したコメントを前記表示画面に重畳させて表示する
再生装置。
【請求項８】
映像コンテンツと当該映像コンテンツの実況動画を再生する再生方法であって、
コンピュータが、
映像コンテンツと実況動画とを結びつけるコンテンツ情報に基づき、前記映像コンテンツと当該映像コンテンツの実況動画とを同じ画面内に表示した表示画面を出力する
再生方法。
【請求項９】
映像コンテンツと当該映像コンテンツの実況動画を再生する再生装置としてコンピュータを動作させるプログラムであって、
映像コンテンツと実況動画とを結びつけるコンテンツ情報に基づき、前記映像コンテンツと当該映像コンテンツの実況動画とを同じ画面内に表示した表示画面を出力する処理を
コンピュータに実行させるプログラム。
【請求項１０】
映像コンテンツと当該映像コンテンツの実況動画を再生する再生装置としてコンピュータを動作させるプログラムを記録した記録媒体であって、
映像コンテンツと実況動画とを結びつけるコンテンツ情報に基づき、前記映像コンテンツと当該映像コンテンツの実況動画とを同じ画面内に表示した表示画面を出力する処理を
コンピュータに実行させるプログラムを記録した記録媒体。
【発明の詳細な説明】
【技術分野】
【０００１】
本発明は、動画配信システム、再生装置、再生方法、プログラム、および記録媒体に関する。
【背景技術】
【０００２】
放送中のテレビ放送番組に対して、視聴者がコメントを投稿して盛り上がりを共有するネットワークサービスが知られている（非特許文献１）。
【０００３】
動画配信サービスでは、ゲーム実況などの配信者が何らかのコンテンツを実況する動画の人気が増している。
【先行技術文献】
【非特許文献】
【０００４】
【非特許文献１】“ニコニコ実況”、株式会社ドワンゴ、インターネット〈 URL：https://jk.nicovideo.jp/ 〉
【発明の概要】
【発明が解決しようとする課題】
【０００５】
非特許文献１のサービスは、不特定多数のユーザで盛り上がりを共有できるので、テレビ放送番組などの映像コンテンツを楽しむ方法として有用である。しかしながら、非特許文献１のサービスでは、好きな配信者による実況とともに映像コンテンツを楽しむものではない。映像コンテンツと共に、配信者による映像コンテンツの実況放送を見たいという要望がある。
【０００６】
本発明は、上記に鑑みてなされたものであり、映像コンテンツと共にその映像コンテンツの実況放送を再生することを目的とする。
【課題を解決するための手段】
【０００７】
本発明の一態様の動画配信システムは、映像コンテンツを再生する再生装置と実況動画を配信する動画配信サーバを備える動画配信システムであって、前記再生装置は、映像コンテンツを再生するときに、当該映像コンテンツを特定するためのコンテンツ情報を含み、当該映像コンテンツの実況動画の配信を要求する配信要求を送信する配信要求部と、前記実況動画の配信を受けて、前記映像コンテンツと前記実況動画とを同じ画面内に表示した表示画面を出力する表示制御部を備え、前記動画配信サーバは、前記配信要求を受信すると、当該配信要求に含まれるコンテンツ情報で特定される前記映像コンテンツの実況動画の配信を開始する。
【発明の効果】
【０００８】
本発明によれば、映像コンテンツと共にその映像コンテンツの実況放送を再生することができる。
【図面の簡単な説明】
【０００９】
【図１】図１は、本実施形態の録画再生装置を含む動画配信システムの全体構成の一例を示す図である。
【図２】図２は、録画再生装置の構成の一例を示す図である。
【図３】図３は、テレビ放送時の動画配信システムの処理の流れの一例を示すシーケンス図である。
【図４】図４は、録画したテレビ放送番組を視聴する時の動画配信システムの処理の流れの一例を示すシーケンス図である。
【図５】図５は、テレビ放送番組を視聴するときの録画再生装置の処理の流れの一例を示すフローチャートである。
【図６】図６は、実況動画を視聴するときの録画再生装置の処理の流れの一例を示すフローチャートである。
【図７】図７は、テレビ映像の上に配信映像を重畳させた表示画面の一例を示す図である。
【図８】図８は、配信映像の上にテレビ映像を重畳させた表示画面の一例を示す図である。
【図９】図９は、テレビ映像と配信映像を重畳させない表示画面の一例を示す図である。
【図１０】図１０は、テレビ映像と配信映像を同一画面内に表示する表示画面の一例を示す図である。
【発明を実施するための形態】
【００１０】
以下、本発明の実施の形態について図面を用いて説明する。
【００１１】
［システムの構成］
図１を参照し、本実施形態の録画再生装置１を含む動画配信システムについて説明する。同図に示す動画配信システムは、録画再生装置１、視聴端末３、動画配信サーバ５、コメントサーバ７、および配信者端末９で構成される。各装置は、ネットワークを介して通信可能に接続される。録画再生装置１と視聴端末３は、ユーザ宅内のネットワークを介して接続されてもよい。なお、図１に示した装置の数は一例であり、これに限るものではない。
【００１２】
配信者端末９は、動画を配信する配信者が使用する端末である。本実施形態では、配信者がテレビ放送番組を実況する実況動画を配信する例について説明する。テレビ放送番組の実況動画とは、例えば、配信者がテレビ放送番組を視聴しながら話をする動画である。実況動画の視聴者は、配信者と同じテレビ放送番組を見ながら、実況動画を見ることで、配信者と共にテレビ放送番組を視聴できる。
【００１３】
動画配信サーバ５は、配信者端末９から受信した動画をネットワークを介して視聴者に配信するサーバである。動画配信サーバ５は、配信者端末９から受信した実況動画をリアルタイムで配信するとともに、動画配信サーバ５の記憶装置に格納する。動画配信サーバ５は、リアルタイムで実況動画を配信するだけでなく、タイムシフトで実況動画を配信する。
【００１４】
コメントサーバ７は、視聴者が動画に対して入力したコメントを受信し、受信したコメントを動画の視聴者に対して配信するサーバである。コメントサーバ７は、動画ごとに、受信したコメントを受信時刻とともにコメントサーバ７の記憶装置に格納しておく。実況動画の場合、リアルタイムで視聴する視聴者がコメントを投稿できる。配信者は、投稿されたコメントを読んだり、コメントに対してリアクションしたりする。視聴者がタイムシフトで実況動画を視聴する場合、コメントサーバ７は、実況動画に対して投稿されたコメントを再生時間（タイムスタンプ）に合わせて視聴者に配信する。これにより、タイムシフトで実況動画を視聴する視聴者も、リアルタイムで実況動画を視聴した視聴者の投稿したコメントを見ることができる。
【００１５】
録画再生装置１は、テレビ放送番組を受信して録画し、ユーザの求めに応じて録画したテレビ放送番組を再生する装置である。録画再生装置１は、動画配信サーバ５の配信する動画を再生することもできる。録画再生装置１は、テレビ放送番組を再生する際、テレビ放送番組の再生画面とともに動画配信サーバ５から受信した実況動画の再生画面を表示した画面を視聴端末３に出力する。
【００１６】
視聴端末３は、録画再生装置１の出力する画面を表示する端末である。視聴端末３には、例えば、テレビ、ディスプレイ、あるいは携帯端末などの表示装置を備える端末を利用できる。
【００１７】
［録画再生装置の構成］
次に、図２を参照し、録画再生装置１の構成の一例について説明する。図２に示す録画再生装置１は、録画部１１、配信要求部１２、表示制御部１３、および蓄積部１４を備える。録画再生装置１が備える各部は、演算処理装置、記憶装置等を備えたコンピュータにより構成して、各部の処理がプログラムによって実行されるものとしてもよい。このプログラムは録画再生装置１が備える記憶装置に記憶されており、磁気ディスク、光ディスク、半導体メモリなどの記録媒体に記録することも、ネットワークを通して提供することも可能である。
【００１８】
録画部１１は、テレビ放送番組を受信し、テレビ放送番組を蓄積部１４に保存する。
【００１９】
配信要求部１２は、動画の配信要求を動画配信サーバ５へ送信して、動画の配信を要求する。テレビ放送番組の実況動画の配信を要求する際、配信要求部１２は、配信要求に、チャンネルと放送時間、番組名などのテレビ放送番組を特定するためのメタ情報を含める。動画配信サーバ５は、配信要求を受信すると、配信要求に含まれるメタ情報で特定されるテレビ放送番組の実況動画の配信を開始する。実況動画の配信要求は、テレビ放送番組のメタ情報に加えて配信者を指定する情報を含んでもよい。この場合、動画配信サーバ５は、指定した配信者による当該テレビ放送番組の実況動画の配信を開始する。
【００２０】
表示制御部１３は、ユーザからの指示に応じて、蓄積部１４に保存されたテレビ放送番組を再生すると同時に、そのテレビ放送番組の実況動画を再生する。テレビ放送番組とそのテレビ放送番組の実況動画とは、メタ情報によって結びつけられる。表示制御部１３は、蓄積部１４に保存されたテレビ放送番組を選択するためのユーザインタフェースおよび動画配信サーバ５の配信する動画を選択するためのユーザインタフェースを提供する。
【００２１】
具体的には、表示制御部１３は、蓄積部１４に保存されたテレビ放送番組の一覧を表示して、ユーザから再生するテレビ放送番組の選択を受け付ける。表示制御部１３は、テレビ放送番組の再生要求を受けると、そのテレビ放送番組のメタ情報を配信要求部１２へ送信する。配信要求部１２は、そのテレビ放送番組の実況動画の配信を動画配信サーバ５へ要求する。表示制御部１３は、実況動画の配信を受けて、蓄積部１４に保存されたテレビ放送番組を再生すると同時に、実況動画を再生する。
【００２２】
あるいは、表示制御部１３は、動画配信サーバ５の配信する実況動画の一覧を表示して、ユーザから再生する実況動画の選択を受け付ける。配信要求部１２は、選択された実況動画の配信を動画配信サーバ５へ要求する。表示制御部１３は、実況動画に対応するテレビ放送番組を再生するとともに、動画配信サーバ５が配信する実況動画を再生する。
【００２３】
表示制御部１３は、実況動画を再生する際、実況動画に対して入力されたコメントをコメントサーバ７から受信して表示画面に重畳させてもよい。
【００２４】
蓄積部１４は、テレビ放送番組の録画を保存する。蓄積部１４は、テレビ放送番組のチャンネルと放送時間などのメタ情報を保持する。蓄積部１４は、録画再生装置１が備える記憶装置であってもよいし、録画再生装置１に接続した外部の記憶装置であってもよい。
【００２５】
なお、録画再生装置１は、録画部１１と蓄積部１４だけを備え、視聴端末３が配信要求部１２と表示制御部１３を備えてもよいし、録画再生装置１と視聴端末３との間に配置された別の装置が配信要求部１２と表示制御部１３を備えてもよい。
【００２６】
［動画配信システムの動作］
次に、図３および図４のシーケンス図を参照し、動画配信システムの処理の流れの一例について説明する。
【００２７】
図３は、テレビ放送時の動画配信システムの処理の流れの一例を示すシーケンス図である。
【００２８】
テレビ放送が開始すると、ステップＳ１０１にて、録画再生装置１は、テレビ放送番組の録画を開始する。
【００２９】
ステップＳ１１１にて、配信者は、テレビ放送番組を実況する生放送番組の配信を開始する。例えば、配信者端末９は、配信開始を動画配信サーバ５へ通知して生放送番組の配信を開始する。配信者がテレビ放送番組の実況配信をする場合、配信者端末９は、配信者が実況するテレビ放送番組のメタ情報を動画配信サーバ５へ通知する。
【００３０】
ステップＳ１１２にて、動画配信サーバ５は、配信者端末９から生放送番組を受信し、視聴者へ配信すると同時に、生放送番組を実況動画として記憶装置に格納する。動画配信サーバ５は、実況動画に、テレビ放送番組のメタ情報および生放送番組の配信開始時刻を付与しておく。視聴者は、テレビ放送番組を見ながら、配信者による生放送番組をリアルタイムで視聴できる。
【００３１】
ステップＳ１１３にて、テレビ放送番組が終了すると、配信者は、生放送番組の配信を終了する。配信者は生放送番組の配信を続けてもよい。
【００３２】
図４は、録画再生装置１に録画したテレビ放送番組を視聴する時の動画配信システムの処理の流れの一例を示すシーケンス図である。
【００３３】
ステップＳ２０１にて、ユーザは、録画再生装置１を操作し、録画したテレビ放送番組の再生を開始する。
【００３４】
ステップＳ２０２にて、録画再生装置１は、再生するテレビ放送番組に対応する実況動画の配信を動画配信サーバ５に要求する。具体的には、録画再生装置１は、再生するテレビ放送番組のメタ情報を含む配信要求を動画配信サーバ５へ送信する。動画配信サーバ５は、テレビ放送番組のメタ情報が付与された実況動画を検索し、検索で得られた実況動画のＩＤを録画再生装置１へ返却する。
【００３５】
ステップＳ２０３にて、録画再生装置１は、実況動画に対応するコメントの配信をコメントサーバ７に要求する。具体的には、録画再生装置１は、実況動画のＩＤを含むコメント配信要求をコメントサーバ７へ送信する。
【００３６】
ステップＳ２０４にて、動画配信サーバ５からの実況動画の配信が開始され、ステップＳ２０５にて、コメントサーバ７からのコメントの配信が開始される。
【００３７】
ステップＳ２０６にて、録画再生装置１は、テレビ放送番組を再生すると同時に、実況動画を再生し、コメントを画面に重畳して表示する。
【００３８】
［録画再生装置の動作］
次に、図５および図６のフローチャートを参照し、録画再生装置１の動作の一例について説明する。
【００３９】
図５は、テレビ放送番組を視聴するときの録画再生装置１の処理の流れの一例を示すフローチャートである。
【００４０】
ステップＳ１１にて、録画再生装置１は、ユーザから、再生するテレビ放送番組の選択を受け付ける。例えば、録画再生装置１は、蓄積部１４に保存されたテレビ放送番組の一覧を表示し、ユーザから再生するテレビ放送番組の選択を受け付ける。
【００４１】
ステップＳ１２にて、録画再生装置１は、再生するテレビ放送番組に対応する実況動画の配信要求を動画配信サーバ５へ送信する。配信要求は、テレビ放送番組を特定するためのメタ情報として、チャンネルと放送時間、あるいはテレビ放送番組のタイトルを含む。配信要求は、配信者を指定するための配信者情報を含んでもよい。例えば、ユーザは、好みの配信者を録画再生装置１に登録しておく。録画再生装置１は、登録された配信者の配信者情報を配信要求に含めて送信する。録画再生装置１は、ユーザがよく視聴する動画の配信者を配信者情報として配信要求に含めてもよい。配信要求に複数の配信者情報を含めてもよい。
【００４２】
動画配信サーバ５は、配信要求を受信すると、配信要求に応じた実況動画の配信を開始する。具体的には、動画配信サーバ５は、配信要求に含まれるテレビ放送番組のメタ情報からテレビ放送番組を特定し、特定したテレビ放送番組の実況動画を検索して配信する。対応する実況動画が複数存在する場合、対応する実況動画のリストを録画再生装置１へ送信してもよい。実況動画のリストとは、例えば、実況動画のＩＤのリストである。
【００４３】
録画再生装置１は、実況動画のリストを受信すると、リストをユーザに提示してユーザから配信を希望する実況動画の選択を受け付けてもよいし、録画再生装置１がリストから任意の実況動画を選択してもよい。実況動画が選択されると、録画再生装置１は、実況動画の配信を動画配信サーバ５へ要求する。このときの配信要求は、実況動画のＩＤを含む。
【００４４】
録画再生装置１は、実況動画のＩＤを含むコメント配信要求をコメントサーバ７へ送信して、実況動画に対応するコメントの配信をコメントサーバ７に要求してもよい。
【００４５】
ステップＳ１３にて、録画再生装置１は、蓄積部１４に保存されたテレビ放送番組の再生を開始するとともに、動画配信サーバ５の配信する実況動画の再生を開始する。例えば、録画再生装置１は、テレビ放送番組の映像内に実況動画の映像を重畳した画面を視聴端末３へ出力するとともに、テレビ放送番組の音声と実況動画の音声の両方を出力する。表示画面の例は後述する。
【００４６】
録画再生装置１は、テレビ放送番組と実況動画の再生タイミングが大きくずれないように、実況動画の再生位置を調節してもよい。例えば、録画再生装置１は、テレビ放送番組と実況動画の再生位置が所定の閾値以上に開いた場合、テレビ放送番組のタイムスタンプに合わせて、実況動画の再生位置を変更する。テレビ放送番組の開始時刻は特定でき、実況動画の配信開始時刻も特定できる。テレビ放送番組が早送りまたは巻き戻しされた場合、録画再生装置１は、テレビ放送番組の再生位置に合わせて実況動画の再生位置を変更する。
【００４７】
図６は、実況動画を視聴するときの録画再生装置１の処理の流れの一例を示すフローチャートである。図５の処理では、録画再生装置１は、ユーザが選択したテレビ放送番組に対応する実況動画の配信を要求したが、図６の処理では、ユーザが視聴する実況動画に対応するテレビ放送番組を同時に再生する。
【００４８】
ステップＳ２１にて、録画再生装置１は、ユーザから、再生する動画の選択を受け付けて、選択された動画の配信要求を動画配信サーバ５へ送信する。例えば、録画再生装置１は、動画配信サーバ５から動画のリストを受信し、ユーザにリストを提示して動画の選択を受け付ける。録画再生装置１は、選択された動画のＩＤを含む配信要求を動画配信サーバ５へ送信する。
【００４９】
ステップＳ２２にて、録画再生装置１は、再生する動画に対応するテレビ放送番組の録画が存在するか否か判定する。具体的には、再生する動画にテレビ放送番組のメタ情報が付与されている場合、録画再生装置１は、動画のメタ情報から対応するテレビ放送番組を特定し、蓄積部１４に対応するテレビ放送番組の録画が保存されているか否か判定する。
【００５０】
再生する動画にテレビ放送番組のメタ情報が付与されていない場合、つまりテレビ放送番組の実況動画でない場合、および蓄積部１４に対応するテレビ放送番組の録画が存在しない場合は、録画再生装置１は動画のみを再生する。
【００５１】
再生する動画に対応するテレビ放送番組の録画が存在する場合、ステップＳ２３にて、録画再生装置１は、蓄積部１４に保存されたテレビ放送番組の再生を開始するとともに、動画配信サーバ５の配信する実況動画の再生を開始する。
【００５２】
なお、録画再生装置１は、事前に、テレビ放送番組と実況動画との対応付けを得ておき、実況動画が対応付けられているテレビ放送番組のリストをユーザに提示し、ユーザの操作に応じてテレビ放送番組と実況動画の再生を開始してもよい。例えば、録画再生装置１は、任意のタイミングで、蓄積部１４に保存されたテレビ放送番組のメタ情報を動画配信サーバ５へ送信し、テレビ放送番組に対応する実況動画のＩＤを取得し、テレビ放送番組と実況動画とを対応付けておく。再生時には、録画再生装置１は、蓄積部１４に保存されたテレビ放送番組の再生を開始するとともに、実況動画のＩＤを配信サーバ５へ送信して実況動画の配信を受けて再生する。
【００５３】
［表示画面例］
次に、図７ないし図１０を参照し、表示画面のいくつかの例について説明する。
【００５４】
図７の例では、テレビ映像１００の上に実況動画の配信映像２００を重畳させた。図８の例では、実況動画の配信映像２００の上にテレビ映像１００を重畳させた。図７および図８に示すように、録画再生装置１は、いずれかの映像をメイン映像とし、メイン映像の上に他方の映像をサブ映像として重畳させた表示画面を出力してもよい。どちらの映像をメイン映像とするか、サブ映像の大きさおよび位置は任意に設定できるようにしてもよいし、メイン映像とサブ映像を切り替えられるようにしてもよい。サブ映像を一時的に非表示にできるようにしてもよい。
【００５５】
メイン映像の音声とサブ映像の音声は同時に出力される。メイン映像の音声またはサブ映像の音声のいずれかのみを出力してもよい。
【００５６】
コメントは、画面の右端から出現し、画面の左端へ流れるように表示される。図７の例では、コメントは、配信映像２００内だけに表示される。つまり、コメントは、配信映像２００の右端から出現し、配信映像２００の左端で消滅するように表示される。図７の例において、コメントをテレビ映像１００の右端から出現させて左端まで移動させて表示してもよい。
【００５７】
図８の例では、配信映像２００の上にテレビ映像１００が重畳されるので、テレビ映像１００の上にもコメントが重畳して表示されている。図８の例において、コメントをテレビ映像１００の上に表示させないようにしてもよい。例えば、テレビ映像１００を重畳させた位置よりも上または下の領域のみにコメントを表示したり、配信映像２００とテレビ映像１００のレイヤにコメントを表示したりしてもよい。
【００５８】
図９の例では、画面３００内に、テレビ映像１００と配信映像２００が並べて表示されている。テレビ映像１００と配信映像２００とは、重畳されずに同じ画面３００内に表示されてもよい。図９の例では、テレビ映像１００と配信映像２００とを同じサイズで表示しているが、テレビ映像１００と配信映像２００のサイズは任意に変更できるようにしてもよい。
【００５９】
図９の例では、コメントは、テレビ映像１００と配信映像２００の下方の領域において、いずれの映像にも重畳しないように表示される。コメントは、配信映像２００に重畳して表示されてもよいし、テレビ映像１００に重畳して表示されてもよい。
【００６０】
図１０の例では、画面３００内の中央付近に画面３００のサイズよりも小さいサイズでテレビ映像１００が表示され、テレビ映像１００の周囲の領域に配信映像２００が表示されている。図１０の例では、配信映像２００はテレビ映像１００の右上の領域に表示されている。配信映像２００が表示される位置は任意に設定できてよい。図１０の例では、配信映像２００のサイズはテレビ映像１００の周囲の領域内に収まるサイズであるが、テレビ映像１００に重なるサイズであってもよい。テレビ映像１００と配信映像２００が重なる場合、配信映像２００は、テレビ映像１００の下に表示されてもよいし、テレビ映像１００の上に重ねて表示されてもよい。
【００６１】
図１０の例では、コメントは、テレビ映像１００の下のレイヤにおいて、画面３００内の全領域に表示される。つまり、コメントは、画面３００の右端から出現し、テレビ映像１００の下のレイヤを、画面３００の左端へ流れるように表示される。コメントは、配信映像２００に上に重畳して表示されてもよいし、配信映像２００の下のレイヤに表示されてもよい。なお、コメントは、画面３００の一番上のレイヤに表示されてもよい。つまり、コメントは、テレビ映像１００と配信映像２００の上に重畳して表示されてもよい。
【００６２】
なお、図７ないし図１０のいずれの場合も、コメントを、左から右に流して表示するだけでなく、右から左、下から上、あるいは上から下に流してもよい。
【００６３】
また、実況動画の生放送中に投入されたギフトに対する演出は、タイムシフトにおいて配信映像２００内で再現されてもよいし、表示画面の全体で再現されてもよい。
【００６４】
［変形例］
録画再生装置１は、リアルタイムで、テレビ放送番組と実況動画の生放送とを同時に表示してもよい。つまり、録画再生装置１は録画したテレビ放送番組だけでなく、リアルタイムでテレビ放送番組を視聴する際に、テレビ放送番組と実況動画の生放送とを同時に表示してよい。
【００６５】
録画再生装置１は、テレビ放送番組だけでなく、ネットワークを介して配信される映像コンテンツとその映像コンテンツの実況動画を同時に表示してもよい。例えば、配信者が、映画配信サービスで配信される映画（映像コンテンツ）の実況を配信する場合、配信する実況動画に映像コンテンツのメタ情報（例えば配信サービス名と映像コンテンツ名など）を付与しておく。録画再生装置１は、実況動画を再生する際、その実況動画に付与されたメタ情報から映像コンテンツを特定し、その映像コンテンツをユーザが視聴できる環境であれば（例えば映画配信サービスに登録済である場合）、実況動画と映像コンテンツとを同じ画面内で再生する。あるいは、録画再生装置１は、映像コンテンツを再生する際、その映像コンテンツの実況動画が存在するか否かを動画配信サーバ５に問い合わせる。実況動画が存在する場合、録画再生装置１は、映像コンテンツと実況動画とを同じ画面内で再生する。映像コンテンツは映画に限らず、録画再生装置１で視聴できるものであればよい。
【００６６】
また、実況動画の映像は表示せずに、音声だけをテレビ放送番組の音声とともに出力してもよいし、実況動画にクローズドキャプションが提供されている場合は、テレビ放送番組の映像に実況動画の文字情報を重畳させてもよい。
【００６７】
以上説明したように、本実施形態の動画配信システムは、テレビ放送番組と実況動画を再生する録画再生装置１と実況動画を配信する動画配信サーバ５を備える動画配信システムである。録画再生装置１は、テレビ放送番組を再生するときに、テレビ放送番組を特定するためのメタ情報を含み、テレビ放送番組の実況動画の配信を要求する配信要求を送信する配信要求部１２と、実況動画の配信を受けて、テレビ放送番組と実況動画とを同じ画面内に表示した表示画面を出力する表示制御部１３を備える。動画配信サーバ５は、配信要求を受信すると、配信要求に含まれるメタ情報で特定されるテレビ放送番組の実況動画の配信を開始する。これにより、ユーザは、容易に、テレビ放送番組と実況動画とを同時に視聴することができる。
【符号の説明】
【００６８】
１  録画再生装置
１１  録画部
１２  配信要求部
１３  表示制御部
１４  蓄積部
３  視聴端末
５  動画配信サーバ
７  コメントサーバ
９  配信者端末
【要約】
【課題】映像コンテンツと共にその映像コンテンツの実況放送を再生する。
【解決手段】テレビ放送番組と実況動画を再生する録画再生装置１と実況動画を配信する動画配信サーバ５を備える動画配信システムである。録画再生装置１は、テレビ放送番組を再生するときに、テレビ放送番組を特定するためのメタ情報を含み、テレビ放送番組の実況動画の配信を要求する配信要求を送信する配信要求部１２と、実況動画の配信を受けて、テレビ放送番組と実況動画とを同じ画面内に表示した表示画面を出力する表示制御部１３を備える。動画配信サーバ５は、配信要求を受信すると、配信要求に含まれるメタ情報で特定されるテレビ放送番組の実況動画の配信を開始する。
【選択図】図２【図１】
0006982708.tif 000002
【図２】
0006982708.tif 000003
【図３】
0006982708.tif 000004
【図４】
0006982708.tif 000005
【図５】
0006982708.tif 000006
【図６】
0006982708.tif 000007
【図７】
0006982708.tif 000008
【図８】
0006982708.tif 000009
【図９】
0006982708.tif 000010
【図１０】
0006982708.tif 000011